(57)【特許請求の範囲】
【請求項１】
接合画面（１）であって、
フレキシブル画面（１１）を貫通する開口部（１１ｃ）を有する前記フレキシブル画面（１１）と、
前記開口部１１ｃに設けられたＬＥＤ画面（１２）と、
フレキシブル回路基板（１３）とを含み、前記ＬＥＤ画面（１２）内の信号線が前記フレキシブル回路基板（１３）に接合され、前記フレキシブル回路基板（１３）内の信号線が前記フレキシブル画面（１１）に接合されている、接合画面（１）。
【請求項２】
前記フレキシブル画面（１１）が画像を表示するための表示領域（Ｄ１）を有し、前記開口部（１１ｃ）が前記表示領域（Ｄ１）内にある、請求項１に記載の接合画面（１）。
【請求項３】
前記接合画面（１）の表面上に画像を表示するためのガラスカバープレート（１４）をさらに含む、請求項２に記載の接合画面（１）。
【請求項４】
画像を表示するための前記フレキシブル画面（１１）の表面上の第１カバープレート（１５）と、
画像を表示するための前記ＬＥＤ画面（１２）の表面上の第２カバープレート（１６）とをさらに含み、前記第１カバープレート（１５）の側壁が前記第２カバープレート（１６）の側壁に付着している、請求項２に記載の接合画面（１）。
【請求項５】
前記フレキシブル画面（１１）が前記表示領域（Ｄ２）と一体的に接続された非表示領域（Ｄ２）とをさらに有する、請求項２に記載の接合画面（１）。
【請求項６】
前記第１カバープレート（１５）が柔軟に曲げ可能なプラスチックカバープレートであり、前記第２カバープレート（１６）がガラスカバープレートである、請求項４に記載の接合画面（１）。
【請求項７】
前記フレキシブル画面（１１）が有機発光ダイオード画面である、請求項１から６のいずれか一項に記載の接合画面（１）。
【請求項８】
前記ＬＥＤ画面（１２）内の前記信号線が薄膜トランジスタ回路により実現され、前記フレキシブル回路基板（１３）内の前記信号線が他の薄膜トランジスタ回路により実現される、請求項１から７のいずれか一項に記載の接合画面（１）。
【請求項９】
前記フレキシブル画面（１１）の前面（１１ａ）と前記ＬＥＤ画面（１２）の前面（１２ａ）とが同一平面となって前記接合画面（１）の表面に接合され、前記フレキシブル画面（１１）の後面（１１ｂ）と前記ＬＥＤ画面（１２）の後面（１２ｂ）とが前記接合画面（１）の他の表面に接合される、請求項１から８のいずれか一項に記載の接合画面（１）。
【請求項１０】
指紋識別モジュール（２）と請求項１から９のいずれか一項に記載の接合画面（１）とを含み、前記指紋識別モジュール（２）が前記ＬＥＤ画面（１２）上に設けられている、表示装置（１０）。
【請求項１１】
前記ＬＥＤ画面（１２）が非表示面（Ｄ２）を有し、前記非表示面（Ｄ２）に前記指紋識別モジュール（２）が設置される、請求項１０に記載の表示装置（１０）。
【請求項１２】
前記指紋識別モジュール（２）が光学式指紋識別構成要素であり、または前記指紋識別モジュール（２）が赤外線指紋識別構成要素である、請求項１０または１１に記載の表示装置（１０）。
【請求項１３】
前記ＬＥＤ画面（１２）が中空の収容溝（２ａ）を画定し、前記収容溝（２ａ）のサイズが前記ＬＥＤ画面（１２）のサイズよりも小さく、前記指紋識別モジュール（２）が前記収容溝（２ａ）に収容されている、請求項１０から１２のいずれか一項に記載の表示装置（１０）。
【請求項１４】
前記ＬＥＤ画面（１２）のサイズが前記指紋識別モジュール（２）のサイズと同じである、請求項１０から１３のいずれか一項に記載の表示装置（１０）。
【請求項１５】
請求項１０から１４のいずれか一項に記載の表示装置（１０）を備える、携帯端末（１００）。
【発明の詳細な説明】
【技術分野】
【０００１】
本開示は、電子機器の技術分野に関し、特に、接合画面、表示装置および携帯端末に関する。
【背景技術】
【０００２】
フレキシブル画面は、より軽くそして寸法がより薄いだけでなく、元の構成要素よりも消費電力が少ない点においても明らかに画面よりも優れており、装置の耐久性を改善するために導電性である。同時に、フレキシブル画面は、その屈曲性および良好な柔軟性のために以前の画面よりもはるかに高い耐久性を有し、装置への偶発的な損傷の可能性が減少する。
【発明の概要】
【発明が解決しようとする課題】
【０００３】
本開示は、接合画面、表示装置および携帯端末を提供することを目的とし、接合画面は指紋識別モジュールの取り付けを容易にする。
【０００４】
上記の技術的問題を解決するために、本開示は、フレキシブル画面、ＬＥＤ画面およびフレキシブル回路基板を含む接合画面を提供する。フレキシブル画面はフレキシブル画面を貫通する開口部を有し、ＬＥＤ画面は開口部内に配置されている。ＬＥＤ画面内の信号線はフレキシブル回路基板に接合され、フレキシブル回路基板内の信号線はフレキシブル画面に接合されている。
【課題を解決するための手段】
【０００５】
一実施形態では、フレキシブル画面は画像を表示するための表示領域を有し、開口部は表示領域内にある。
【０００６】
一実施形態では、接合画面は、接合画面の表面上に画像を表示するためのガラスカバープレートをさらに含む。
【０００７】
一実施形態では、接合画面は、画像を表示するためのフレキシブル画面の表面上の第１カバープレート、画像を表示するためのＬＥＤ画面の表面上の第２カバープレートをさらに含み、第１カバープレートの側壁は第２カバープレートの側壁に付着している。
【０００８】
一実施形態では、フレキシブル画面は、表示領域と一体的に接続された非表示領域をさらに有する。
【０００９】
一実施形態では、第１カバープレートは柔軟に曲げ可能なプラスチックカバープレートであり、第２カバープレートはガラスカバープレートである。
【００１０】
一実施形態では、フレキシブル画面は有機発光ダイオード画面である。
【００１１】
一実施形態では、ＬＥＤ画面内の信号線は薄膜トランジスタ回路であり、フレキシブル回路基板内の信号線は他の薄膜トランジスタ回路である。
【００１２】
一実施形態では、フレキシブル画面の前面とＬＥＤ画面の前面とは同一平面となって接合画面の表面に接合され、フレキシブル画面の後面とＬＥＤ画面の後面とは接合画面の他の表面に接合される。
【００１３】
本開示は、指紋識別モジュールと上記の接合画面とを含む表示装置をさらに提供する。
【００１４】
一実施形態では、ＬＥＤ画面は非表示面を有し、指紋識別モジュールは非表示面にホットプレスされる。
【００１５】
一実施形態では、指紋識別モジュールは光学式指紋識別構成要素であり、または指紋識別モジュールは赤外線指紋識別構成要素である。
【００１６】
一実施形態では、ＬＥＤ画面は中空の収容溝を画定し、収容溝のサイズはＬＥＤ画面のサイズよりも小さく、指紋識別モジュールは収容溝に収容されている。
【００１７】
一実施形態では、ＬＥＤ画面のサイズは指紋識別モジュールのサイズと同じである。
【００１８】
本開示は、上記の表示装置を含む携帯端末をさらに提供する。
【００１９】
本開示による接合画面では、フレキシブル画面の開口部にＬＥＤ画面を設け、ＬＥＤ画面にフレキシブル画面の開口部を設け、フレキシブル画面とＬＥＤ画面とを接合画面に接合することにより接合画面を曲げることができ、ＬＥＤ画面の位置は接合画面の剛性をある程度高めるので、接合画面を様々な装置に適用し、様々な構成要素（指紋識別モジュールなど）を接合画面に取り付けるのに都合がよくなり、これにより接合画面の信頼性が向上する。
【００２０】
表示装置および携帯端末は上記の接合画面を採用し、接合画面にはＬＥＤ画面が設けられているので、指紋識別モジュールをＬＥＤ画面に良好に取り付けることができ、表示装置および携帯端末の信頼性が向上する。
【００２１】
本開示の実施形態における技術的解決策をより明確に説明するために、以下は、実施形態の説明に必要な添付の図面を簡単に紹介する。明らかに、以下に記載する添付の図面は本開示の一部の実施形態を示すだけであり、当業者は創造的な努力を払うことなくこれらの図面に基づいて他の図面を得ることができる。
【図面の簡単な説明】
【００２２】
【図１】本開示の実施形態による携帯端末の概略図である。
【図２】図１に示した携帯端末の表示装置のＩ−Ｉ線に沿った断面図である。
【図３】表示装置の概略図である。
【図４】他の表示装置の概略図である。
【発明を実施するための形態】
【００２３】
本開示の実施形態の添付の図面の参照を組み合わせながら、本開示の実施形態の技術的解決策を明確かつ完全に説明する。
【００２４】
本明細書では、他に特定または限定されない限り、「中央」、「縦」、「横」、「前」、「後」、「右」、「左」、「内側」、「外側」、「低い」、「高い」、「水平」、「垂直」、「上方」、「下方」、「上に」、「頂部」、「底部」およびそれらの派生語（例えば、「水平」、「下向き」、「上向き」など）などの相対的な用語は、そのとき説明されているような、または説明中の図面に示されているような向きを指すと解釈されるべきである。これらの相対的な用語は説明の便宜上のものであり、本開示を特定の方向に構成または動作させることを必要としない。
【００２５】
本発明では、他に特定または限定されない限り、「搭載」、「接続」、「結合」、「固定」などの用語が広く用いられ、例えば、固定接続、取り外し可能接続、または一体型接続とすることができ、機械的または電気的接続でもよく、直接接続または介在構造を介した間接接続でもよく、２つの要素の内部連通でもよく、これらは特定の状況によって当業者によって理解され得る。
【００２６】
さらに、「第１」および「第２」などの用語は、本明細書では説明の目的で使用されており、相対的な重要性または重要度を示すまたは暗示する、もしくは示された技術的特徴の数を暗示することを意図しない。したがって、「第１」および「第２」で定義された特徴は、この特徴のうちの１つ以上を含み得る。本発明の説明において、「複数の」とは、他に特定されない限り、２つ以上を意味する。
【００２７】
一実施形態では、接合画面が提供される。接合画面は、フレキシブル画面を貫通する開口部を有するフレキシブル画面、開口部に設けられたＬＥＤ画面、フレキシブル回路基板を含み、ＬＥＤ画面内の信号線はフレキシブル回路基板に接合され、フレキシブル回路基板内の信号線はフレキシブル画面に接合されている。
【００２８】
図１は、本開示の実施形態による携帯端末１００を示す。携帯端末１００は、タブレット型コンピュータ、携帯電話、電子書籍リーダ、リモートコントローラ、パーソナルコンピュータ（ＰＣ）、ノート型コンピュータ、車載機器、ネットワークテレビ、ウェアラブルデバイス、その他のネットワーク対応スマートデバイスなどの、通信機能および記憶機能を有する機器とすることができる。携帯端末１００は表示装置１０を備えており、表示装置１０は、主に画像の表示やユーザからのタッチ操作に用いられる。
【００２９】
図１および図２を参照すると、表示装置１０は、指紋識別モジュール２および接合画面１を含む。接合画面１に指紋識別モジュール２を設けることによって、指紋識別モジュール２によって携帯端末１００を操作することができ、例えば携帯端末１００のロックを解除することができる。接合画面１はフレキシブル画面１１とハード画面１２とを含み、フレキシブル画面１１はフレキシブル画面１１を貫通する開口部１１ｃを有し、ハード画面１２は開口部１１ｃ内に配置されている。ハード画面１２内の信号線はフレキシブル回路基板１３に接合され、フレキシブル回路基板１３内の信号線はフレキシブル画面１１に接合されているので、ハード画面１２とフレキシブル画面１１との電気的結合が達成される。フレキシブル回路基板１３は、フレキシブル画面１１の下方に配置されている。ハード画面１２がフレキシブル画面１１と電気的に結合されている限り、フレキシブル回路基板１３を任意の必要な位置に配置することができることを当業者は理解すべきである。指紋識別モジュール２がハード画面１２上に配置されることによって、表示装置１０は指紋識別機能を有する。
【００３０】
接合画面１は曲げることができ、ハード画面１２の位置は接合画面１の剛性をある程度高めるので、接合画面１を様々な装置に適用し、様々な構成要素（指紋識別モジュールなど）を接合画面に取り付けるのに都合がよくなり、これにより接合画面１の信頼性が向上する。表示装置１０および携帯端末１００は上記の接合画面１を採用しており、接合画面１にはハード画面１２が設けられているので、指紋識別モジュールをハード画面１２に良好に取り付けることができ、表示装置１０および携帯端末１００の信頼性が向上する。
【００３１】
図２を参照すると、フレキシブル画面１１は有機発光ダイオード（ＯＬＥＤ）画面であることが理解されよう。フレキシブル画面１１は、互いに対向して配置された第１前面１１ａと第１後面１１ｂとを有し、第１前面１１ａは、ユーザに対面してタッチ操作および表示操作が可能な面であり、第１後面１１ｂは、通常、携帯端末１００の内部に配置されている。第１前面１１ａは、一体的に接続された表示領域Ｄ１および非表示領域Ｄ２を有し、表示領域Ｄ１は画像の表示やタッチに用いられる。
【００３２】
レーザ切断によってフレキシブル画面１１から開口部１１ｃが加工されることが理解されよう。もちろん、他の実施形態では、開口部１１ｃは、他の方法、例えば数値制御工作機械によって、フレキシブル画面１１から加工することができる。
【００３３】
ハード画面１２は、発光ダイオード（ＬＥＤ）画面である。ハード画面１２は、互いに対向して配置された第２前面１２ａと第２後面１２ｂとを有し、第２前面１２ａは、ユーザに対面してタッチ操作および表示操作が可能な面であり、第２後面１２ｂは、通常、携帯端末１００の内部に配置されている。ハード画面１２は、サイズおよび形状の点で開口部１１ｃと実質的に一致しているので、ハード画面１２を開口部１１ｃ内に良好に設けて、接合画面１の一体性を確実にすることができる。
【００３４】
具体的には、フレキシブル画面１１は、ハード画面１２内の信号線、すなわちハード画面１２内の薄膜トランジスタ（ＴＦＴ）回路がＦＯＧ（Ｆｌｅｘ  Ｏｎ  Ｇｌａｓｓ  ＦＰＣ）技術によりフレキシブル回路基板１３にホットプレスされる方法でハード画面１２と電気的に結合され、信号線はフレキシブル回路基板１３によってＦＯＧ技術によりフレキシブル画面１１のＴＦＴ回路にホットプレスされ、ハード画面１２がフレキシブル画面１１と電気的に結合する。フレキシブル回路基板１３は信号伝送の役割を果たし、ハード画面１２内の信号線はハード画面１２内の信号線の中継を介してフレキシブル画面１１に接合されているので、ハード画面１２とフレキシブル画面１１との電気的結合が達成される。フレキシブル回路基板１３が携帯端末１００のマザーボードに再結合された後、マザーボードはフレキシブル画面１１およびハード画面１２の表示を制御することができる。
【００３５】
フレキシブル画面１１の第１前面１１ａとハード画面１２の第２前面１２ａとは同一平面であり、接合画面１の第１表面に接合されている。フレキシブル画面１１の第１後面１１ｂとハード画面１２の第２後面１２ｂとは、接合画面１の第２表面に接合されている。
【００３６】
フレキシブル画面１１のサイズはハード画面１２のサイズよりもはるかに大きい、すなわち接合画面１は主にフレキシブル画面１１から構成されているので、接合画面１の比較的小さい厚さおよび良好な屈曲性を保証することが理解されよう。
【００３７】
フレキシブル画面１１は画像表示用の表示領域Ｄ１を有し、開口部１１ｃは表示領域Ｄ１に位置していることが理解されよう。表示画面の表示領域Ｄ１に開口部１１ｃを設けることで、表示領域Ｄ１の開口部１１ｃが設けられる位置の強度が高まる。もちろん、他の実施形態では、フレキシブル画面１１をフレキシブル画面１１の非表示領域Ｄ２に配置することができる。
【００３８】
図２を参照すると、接合画面１はガラスカバープレート１４をさらに含み、ガラスカバープレート１４は画像を表示する接合画面１の表面上に配置されていることが理解されよう。具体的には、接合画面１は所望の形状に折り曲げられ、ガラスカバープレート１４はＯＣＡ（Ｏｐｔｉｃａｌｌｙ  Ｃｌｅａｒ  Ａｄｈｅｓｉｖｅ）によって接合画面１全体の第１表面に配置されており、ガラスカバープレート１４の剛性によって接合画面１は明確な形状を有することができ、ガラスカバープレート１４全体は、接合画面１の簡単な設置を確実にすることができる。
【００３９】
また、図２を参照すると、ハード画面１２は非表示面を有し、この非表示面に指紋識別モジュール２がホットプレスされる。具体的には、ハード画面１２の非表示面は、ハード画面１２の第２後面１２ｂである。ハード画面１２はある程度の強度を有するので、指紋識別モジュール２がハード画面１２の第２後面１２ｂにホットプレスされるという事実は、ハード画面１２に損傷を与えず、それによって接合画面１の信頼性が向上する。また、開口部１１ｃにはハード画面１２が設けられており、開口部１１ｃはフレキシブル画面１１の表示領域Ｄ１に位置しており、指紋識別モジュール２はハード画面１２の第２後面１２ｂにホットプレスされている、すなわち、指紋識別モジュール２が表示装置１０内に収容されているので、ハード画面１２は指紋識別だけでなく表示も行うことができ、携帯端末１００の画面対本体比を高めることができる。
【００４０】
ハード画面１２のサイズが指紋識別モジュール２のサイズと同じであることによって、接合画面１内のハード画面１２の比率がさらに減少し、接合画面１の良好な屈曲性が保証されることが理解されよう。
【００４１】
指紋識別モジュール２は光学式指紋識別構成要素であることが理解されよう。もちろん、他の実施形態では、指紋識別モジュール２は赤外線指紋識別構成要素とすることができる。
【００４２】
携帯端末１００の製造時には、まず、フレキシブル画面１１の開口部１１ｃにハード画面１２を設け、その後、指紋識別モジュール２をハード画面１２の第２後面１２ｂにホットプレスするので、指紋識別モジュール２は携帯端末１００に収容されている。ユーザは、ハード画面１２を押すことによって指紋認証操作を行うことができ、指紋認証操作が行われていないときには、ハード画面１２はフレキシブル画面１１と共に表示を行うことができる。
【００４３】
本開示による接合画面１では、フレキシブル画面１１の開口部１１ｃにハード画面１２を設け、フレキシブル画面１１とハード画面１２とを接合画面１に接合することによりこの接合画面１を曲げることができ、ハード画面１２の位置は接合画面１の剛性をある程度高めるので、接合画面１を様々な装置に適用し、様々な構成要素（指紋識別モジュールなど）を接合画面に取り付けるのに都合がよくなり、これにより接合画面１の信頼性が向上する。
【００４４】
図３は、他の表示装置２０を示す。接合画面１は、第１カバープレート１５と第２カバープレート１６とをさらに含む。第１カバープレート１５は、フレキシブル画面１１の画像を表示する面、すなわち第１前面１１ａに配置されている。第２カバープレート１６は、ハード画面１２の画像を表示する面、すなわち第２前面１２ａに配置され、第２カバープレート１６の側壁１６ａは、第１カバープレート１５の側壁１５ａに付着している。具体的には、第１カバープレート１５は柔軟に曲げ可能なプラスチックカバープレートであり、第２カバープレート１６はガラスカバープレートである。柔軟に曲げ可能なプラスチックカバープレートは、接合画面１が良好な屈曲性を有することができることを保証する。
【００４５】
図４は、さらに他の表示装置３０を示している。表示装置３０によれば、ハード画面１２に中空の収容溝２ａを画定することができる、すなわち収容溝２ａの大きさはハード画面１２の大きさよりも小さいので、指紋識別モジュール２を収容溝２ａに収容することができる。収容溝２ａの外側のハード画面１２の一部は、接合画面１が曲げられるときに指紋識別モジュール２に一定の剛性を与え、指紋識別モジュール２の精度に影響を及ぼす、指紋識別モジュール２のここでの曲げを防ぐ。収容溝２ａは、第２前面１２ａの上方のガラスカバープレート１４と連通していないことが理解されよう。
【００４６】
本開示による表示装置１０、２０、３０および携帯端末１００は上記の接合画面１を採用しており、接合画面１にはハード画面１２が設けられているため、指紋識別モジュールをハード画面１２に良好に取り付けることができ、表示装置１０および携帯端末１００の信頼性が向上する。
【００４７】
以上、本開示の好適な実施形態について説明したが、当業者であれば本開示の原理から逸脱することなく様々な改良や修正を加えることができ、これらの改良や修正も本開示の保護範囲とみなされる。
【図１】
0006772387.tif 000002
【図２】
0006772387.tif 000003
【図３】
0006772387.tif 000004
【図４】
0006772387.tif 000005